(57)【要約】【課題】本発明は複数のペーパーを順番にスキャン装置のスキャンウィンドウを通すための取外し可能な押え板を具備した自動フィード装置を提供する。【解決手段】  前記自動フィード装置はその底部に設置された取外し可能な押え板を含み、ユーザーが容易に前記押え板を取り外して押え板を交換することができるようにする。【選択図】図３Ａ
2008295006.tif 000002
【特許請求の範囲】
【請求項１】
自動フィード装置がスキャンウィンドウを具備したスキャン装置をセットにして、複数のペーパーを順番に前記スキャンウィンドウを通すことができる取外し可能な押え板を具備した自動フィード装置であって、前記自動フィード装置はケースと前記ケース内に設置されたフィード機構を含み、その中で前記フィード機構は、前記フィード機構の底部に設置されスキャンウィンドウ付近の位置に取外し可能な押え板を含み、前記スキャンウィンドウを通過したペーパーを押さえつけることを特徴とする取外し可能な押え板を具備した自動フィード装置。
【請求項２】
前記フィード機構の底部に形成された位置決め溝を更に含み、前記取外し可能な押え板を収めることを特徴とする請求項1に記載する取外し可能な押え板を具備した自動フィード装置。
【請求項３】
前記取外し可能な押え板が固定板と押え板とを含むことを特徴とする請求項２に記載する取外し可能な押え板を具備した自動フィード装置。
【請求項４】
前記位置決め溝内に形成されたフックと前記固定板上に形成された凹部とを更に含み、前記取外し可能な押え板が前記位置決め溝内にセットされると、前記フックは前記凹部内に係合され前記取外し可能な押え板は前記フィード機構の底部に固定されることを特徴とする請求項３に記載する取外し可能な押え板を具備した自動フィード装置。
【請求項５】
前記フィード機構の底部に形成された出口を更に含み、外部の物を前記出口から入れて前記固定板を押すと、前記フックが前記凹部から離れることを特徴とする請求項４に記載する取外し可能な押え板を具備した自動フィード装置。
【請求項６】
前記位置決め溝内に形成された凹部と前記固定板上に形成されたフックとを更に含み、前記取外し可能な押え板が前記位置決め溝内にセットされると、前記フックは前記凹部内に係合され前記取外し可能な押え板を前記フィード機構底部に固定することを特徴とする請求項３に記載する取外し可能な押え板を具備した自動フィード装置。
【請求項７】
前記フィード機構の底部に形成された出口を更に含み、外部の物を前記出口から入れて前記固定板を押すと、前記フックが前記凹部から離れることを特徴とする請求項６に記載する取外し可能な押え板を具備した自動フィード装置。
【請求項８】
前記取外し可能な押え板が押え板と前記押え板上に形成された凹部を含むことを特徴とする請求項２に記載する取外し可能な押え板を具備した自動フィード装置。
【請求項９】
前記位置決め溝内に形成されるフックを更に含み、前記押え板が前記位置決め溝内にセットされると、前記フックが前記凹部内に係合され前記押え板を前記フィード機構の底部に固定することを特徴とする請求項８に記載する取外し可能な押え板を具備した自動フィード装置。
【請求項１０】
前記フィード機構の底部に形成される出口を更に含み、外部の物を前記出口から入れて前記固定板を押すと、前記フックが前記凹部から離れることを特徴とする請求項９に記載する取外し可能な押え板を具備した自動フィード装置。
【請求項１１】
前記取外し可能な押え板は更に突出構造を含み、前記位置決め溝の内壁に当接することを特徴とする請求項８に記載する取外し可能な押え板を具備した自動フィード装置。
【請求項１２】
ケースと前記ケース内に設置されるフィード機構とを含み、前記フィード機構は前記フィード機構の底部に設置される位置決め溝と、前記位置決め溝内にセットする固定板及び前記固定板上に固定される押え板を含むことを特徴とする取外し可能な押え板を具備した自動フィード装置。
【請求項１３】
前記位置決め溝内に形成されるフックと前記固定板上に形成される凹部を更に含むことを特徴とする請求項1２に記載する取外し可能な押え板を具備した自動フィード装置。
【請求項１４】
前記フィード機構の底部に形成された前記位置決め溝に通ずる出口を更に含むことを特徴とする請求項1２に記載する取外し可能な押え板を具備した自動フィード装置。
【請求項１５】
前記位置決め溝内に形成された凹部と前記固定板上に形成されたフックを更に含むことを特徴とする請求項１２に記載する取外し可能な押え板を具備した自動フィード装置。
【請求項１６】
ケースと前記ケース内に設置されるフィード機構とを含み、前記フィード機構が、前記フィード機構の底部に設置された位置決め溝であって、前記位置決め溝内にフックを形成し、また前記位置決め溝内に固定された押え板であって、前記押え板上に前記フックと係合する凹部を形成することを含むことを特徴とする取外し可能な押え板を具備した自動フィード装置。
【請求項１７】
前記フィード機構の底部に形成された前記位置決め溝に通ずる出口を更に含むことを特徴とする請求項1６に記載する取外し可能な押え板を具備した自動フィード装置。
【請求項１８】
前記押え板上に形成され、前記位置決め溝の内壁に当接する突出構造を更に含むことを特徴とする請求項1６に記載する取外し可能な押え板を具備した自動フィード装置。
【発明の詳細な説明】
【技術分野】
【０００１】
本発明は自動フィード装置に関し、特に取外し可能な押え板を具備した自動フィード装置に関する。
【背景技術】
【０００２】
従来積み重なったドキュメントをスキャンしてイメージに転換し保存しようとする場合、ユーザーは一度に一枚ずつといった方法で逐次ドキュメントをスキャン装置に入れてスキャン動作を行わねばならず、このことが往々にして多くの貴重な時間と人的資源を費やしている。従って、市場ではスキャン装置と組合せることができる自動フィード装置に発展しており、ユーザーはドキュメントを自動フィード装置の取込用トレーに置くだけで、自動フィード装置内部のフィード機構は積み重なったドキュメントを順番に伝送してスキャン装置のスキャンウィンドウを通して自動的にスキャン動作を完了させることができる。
【０００３】
図１は従来の自動フィード装置がスキャン装置とセットになった場合を示した構造概略図である。自動フィード装置１はケース１０とケース１０内に据付けられたフィード機構１１を含み、ケース１０は更に取込用トレー１０１と取出用プラットホーム１０２を含む。スキャン装置４はスキャンウィンドウ４０とスキャンウィンドウ４０下方に位置するスキャンモジュール４１を含む。
【０００４】
引き続き図１では、自動フィード装置１内で取込用トレー１０１はスキャン待機のドキュメントを載せる役目を果たしており、また取出用チャネル１０２はスキャン済のドキュメントを保管する役目を果たしている。フィード機構１１は取込用トレー１０１上のドキュメントを自動フィード装置１内部にフィードする役目を果たすと共に、各ペーパーＳを伝送する過程でスキャン装置４のスキャンウィンドウ４０を通し、スキャンウィンドウ４０下方のスキャンモジュール４１にスキャンされる。最後にスキャン済のドキュメントは順番にフィード機構１１から排出されて取出用プラットホーム１０２上に保管される。
【０００５】
引き続き図１では、ペーパーＳをスキャンウィンドウ４０を通す際に浮き上がってスキャン装置４のスキャンの質に影響しないようにするため、従来の自動フィード装置１はフィード機構１１の底部のスキャンウィンドウ４０付近の位置に押え板１２を取付け、ペーパーＳを押さえ付けてスキャンウィンドウ４０に平らに密着させてスキャン装置４のスキャンの質を保たせる。しかし、従来の自動フィード装置１内の押え板１２をフィード機構１１の底部に直接据付けて固定するため、一旦押え板１２が損傷すると、フィード機構１１全部を分解しなければ押え板１２を交換できないのでメンテナンスが困難な問題が生じている。
【発明の開示】
【発明が解決しようとする課題】
【０００６】
本発明の目的は取外し可能な押え板を具備した自動フィード装置を提供することにあり、自動フィード装置のフィード機構底部に取外し可能な押え板を取付けることにより従来の自動フィード装置が固定式押え板を採用したことで交換が容易でなくなった問題を改善する。
【課題を解決するための手段】
【０００７】
本発明は取外し可能な押え板を具備した自動フィード装置を提供し、当該自動フィード装置はスキャン装置とセットにすることができ、複数のペーパーを順番にスキャン装置のスキャンウィンドウを通すことができ、自動フィード装置はケースを含む。また、フィード機構はケース内に設置され、フィード機構はフィード機構の底部に取付けられた取外し可能な押え板を含み、ペーパーを押さえてスキャンウィンドウに平らに密着させる。
【０００８】
好ましくは、自動フィード装置はフィード機構の底部に形成され、取外し可能な押え板を収めるための位置決め溝を更に含む。
【０００９】
好ましくは、自動フィード装置の取外し可能な押え板は固定板と押え板を含む。
【００１０】
好ましくは、自動フィード装置内の位置決め溝はフックを含み、固定板は凹部を含み、取外し可能な押え板が位置決め溝内にセットされると、フックは凹部内に係合されて取外し可能な押え板をフィード機構の底部に固定する。
【００１１】
好ましくは、前記自動フィード装置はフィード機構の底部に形成された出口を含み、外部の物を出口から挿入させて固定板に押し当てると、フックと凹部の係合状態を解除する。
【００１２】
好ましくは、自動フィード装置内の位置決め溝が凹部を含み、固定板がフックを含み、取外し可能な押え板が位置決め溝内にセットされると、フックは凹部内に係合されて取外し可能な押え板をフィード機構の底部に固定する。
【００１３】
好ましくは、前記自動フィード装置がフィード機構の底部に形成された出口を含み、外部の物を出口から挿入させて固定板に押し当てると、フックと凹部の係合状態を解除する。
【００１４】
好ましくは、自動フィード装置の取外し可能な押え板が押え板と凹部を含む。
【００１５】
好ましくは、前記自動フィード装置内の位置決め溝がフックを含み、取外し可能な押え板が位置決め溝内にセットされると、フックは凹部内に係合されて取外し可能な押え板をフィード機構の底部に固定する。
【００１６】
好ましくは、前記自動フィード装置がフィード機構の底部に形成された出口を含み、外部の物を出口から挿入させて押え板に押し当てると、フックと凹部の係合状態を解除する。
【００１７】
好ましくは、前記自動フィード装置の取外し可能な押え板が位置決め溝の内壁に当接する突出構造を更に含む。
【発明を実施するための最良の形態】
【００１８】
本発明を次に図面により詳細に説明する。
【実施例】
【００１９】
図２は本発明の第一具体実施例で提供する取外し可能な押え板を具備した自動フィード装置がスキャン装置上に設置されたことを示す構造概略図である。自動フィード装置２はケース２０とケース２０内に据付けられたフィード機構２１を含み、このほかに自動フィード装置２は更に取込用トレー２０１と取出用プラットホーム２０２を含む。スキャン装置４はスキャンウィンドウ４０とスキャンウィンドウ４０下方に位置するスキャンモジュール４１を含む。
【００２０】
引き続き図２では、自動フィード装置２内では取込用トレー２０１はスキャン待機のドキュメントを載せる役目を果たしており、また取出用チャネル２０２はスキャン済のドキュメントを保管する役目を果たしている。フィード機構２１は取込用トレー２０１上のドキュメントを自動フィード装置２内部にフィードする役目を果たすと共に、各ペーパーＳを伝送する過程でスキャン装置４のスキャンウィンドウ４０を通し、スキャンウィンドウ４０下方のスキャンモジュール４１にスキャンされる。最後にスキャン済のドキュメントは順番にフィード機構２１から排出されて取出用プラットホーム２０２上に保管される。
【００２１】
引き続き図２では、ペーパーＳをスキャンウィンドウ４０を通す際に浮き上がってスキャン装置４のスキャンの質に影響しないようにするため、本実施例で提供する自動フィード装置２はフィード機構２１の底部のスキャンウィンドウ４０付近の位置に取外し可能な押え板２２を取付け、取外し可能な押え板２２でペーパーＳを押し付けてスキャンウィンドウ４０に平らに密着させてスキャン装置４のスキャンの質を保たせることができる一方で、取外し可能な押え板２２が損傷した場合、ユーザーやメンテナンススタッフは速やかにしかも簡単に取外し可能な押え板２２の交換を完了させることができるのである。
【００２２】
図３Ａ並びに図３Ｂでは第一具体実施例で提供する自動フィード装置に係る部分拡大図を示しており、その中で図３Ａはフィード機構２１底部に据付け済でペーパー押さえ機能を発揮する取外し可能な押え板２２を示しており、また図３Ｂは取外し可能な押え板２２がまだ据付が完了していない概略図を示している。取外し可能な押え板２２は固定板２２０と押え板２２１を含み、固定板２２０は押え板２２１を載せると共に押え板２２１をフィード機構２１の底部に固定する役目を果たす。また押え板２２１はペーパーＳに下向きに押える力を提供することにより、ペーパーＳが伝送されてスキャンウィンドウを通る際に浮き上がってスキャン装置のスキャンの質に影響させないようにする。固定板２２０と押え板２２１の間は両面テープ若しくはその他散見される固定方法で貼り合せることができる。このほか、本実施例で提供する自動フィード装置２はフィード機構２１の底部に少なくとも一つの位置決め溝２１０（位置決め溝２１０の個数は押え板２２１の個数により調整する）を形成し、取外し可能な押え板２２をその中に収める。取外し可能な押え板２２を位置決め溝２１０内に安定的に収めるために、フィード機構２１底部の位置決め溝２１０と取外し可能な押え板２２の固定板２２０上にそれぞれ互いに係合出来るような設計を設け、例えば本実施例において、位置決め溝２１０内にフック２１００を形成して固定板２２０上にはこれに対応して凹部２２００を形成し、このようにして取外し可能な押え板２２がフィード機構２１底部の位置決め溝２１０内にセットされると、位置決め溝２１０内のフック２１００と固定板２２０上の凹部２２００は図３Ａで示すように係合することで、取外し可能な押え板２２をフィード機構２１の底部に固定させて緩まないようにすることができる。
【００２３】
図３Ａと図３Ｃは自動フィード装置２に関する局部拡大図を示しており、取外し可能な押え板２２の交換メカニズムを対比して説明している。その中で、図３Ａは取外し可能な押え板２２の固定板２２０とフィード機構２１底部の位置決め溝２１０とが係合している状況を示しており、図３Ｃは外部の物により固定板２２０と位置決め溝２１０の係合状態を解除して取外し可能な押え板２２を交換できる状況を示している。本実施例で提供する自動フィード装置２において、ユーザーやメンテナンススタッフはフィード機構２１を分解することなく取外し可能な押え板２２を交換することができるため、自動フィード装置２は特にフィード機構２１の底部に少なくとも一つの位置決め溝２１０に通じる出口２１１（出口２１１の個数は取外し可能な押え板２２の個数により調整する）を設けると共に、出口２１１の位置を位置決め溝２１０内の固定板２２０に合せる。このようにして、ユーザーやメンテナンススタッフは鋭利な物５のような外部の物を出口２１１から挿入して固定板２１１に押し当てると、図３Ｃで示すように固定板２２０を移動させたり変形させたりして、フック２１００と凹部２２００の元の係合状態を解除することができる。こうしてユーザーやメンテナンススタッフは押え板２２１を下向きに引っ張るだけで取外し可能な押え板２２を位置決め溝２１０から出すことができるのである。
【００２４】
前記第一具体実施例で提供する自動フィード装置２は、フィード機構２１の位置決め溝２１０内及び取外し可能な押え板２２の固定板２２０上に対応するようにフック２１００と凹部２２００が互いに係合する構造を形成するが、本発明によるその他の具体実施例で提供する自動フィード装置２でも、図３Ｄで示すように、フィード機構２１の位置決め溝２１０内及び取外し可能な押え板２２の固定板２２０上に対応するように凹部２１０１とフック２２０１を形成することができ、同様に取外し可能な押え板２２をフィード機構２１の底部に固定することができる。
【００２５】
本発明による第二具体実施例で提供する自動フィード装置は、固定板によるヘルプを必要とせずにフィード機構底部の位置決め溝内に固定可能な取外し可能な押え板を採用している。図４Ａは本実施例で提供する自動フィード装置の局部拡大図を示しており、本実施例で提供する自動フィード装置は押え板３２０上で凹部３２１を形成して取外し可能な押え板３２とすると共に、フィード機構３１の位置決め溝３１０内にフック３１００を形成する。従って、押え板３２０を位置決め溝３１０内にセットすると、フック３１００は図４Ａで示すように押え板３２０上の凹部３２１内に係合されることにより、取外し可能な押え板３２をフィード機構３１の底部に固定することができる。このほか、本実施例で提供する自動フィード装置は同様にフィード機構３１の底部に位置決め溝３１０に通じる出口３１１を形成することにより、第一実施例で提供した自動フィード装置２のように、外部の物を出口３１１から挿入して押え板３２０に押し当てると、取外し可能な押え板３２は移動するか変形して凹部３２１とフック３１００の係合状態を解除することができる。
【００２６】
前記第二具体実施例で提供する自動フィード装置は、フィード機構３１の位置決め溝３１０内及び押え板３２０上に対応するようにそれぞれフック３１００及び凹部３２１を形成することにより、取外し可能な押え板３２をフィード機構３１の底部に固定することができる。しかし、本発明によるその他の具体実施例においても、図４Ｂで示すように押え板３２０上に突起部のような突出構造３２２を形成し、位置決め溝３１０の内壁に当接させて取外し可能な押え板３２が一層安定的にフィード機構３１の底部に固定されるようにする。
【００２７】
このほか、本発明で提供する自動フィード装置において、凹部２１０２、２２００、３２１は凹溝でもよいが、貫通したホール構造でもよい。
【００２８】
以上述べた実施例は本発明の技術趣旨及び特徴を説明したに過ぎず、その目的は当業者が本発明の内容を理解し実施することにあり、これを以って本発明の特許範囲を限定するものではなく、本発明で開示した趣旨により行った等価変更若しくは修正についても、本発明の特許範囲内に含むものとする。
【図面の簡単な説明】
【００２９】
【図１】従来の自動フィード装置がスキャン装置とセットになった場合を示した構造概略図である。
【図２】本発明の第一具体実施例で提供する自動フィード装置がスキャン装置とセットになった場合を示した構造概略図である。
【図３Ａ】第一具体実施例で提供する自動フィード装置を示した部分拡大図である。
【図３Ｂ】第一具体実施例で提供する自動フィード装置に係る取外し可能な押え板を示した分解概略図である。
【図３Ｃ】第一具体実施例で提供する自動フィード装置で取外し可能な押え板の交換の仕方を示した概略図である。
【図３Ｄ】本発明で提供する自動フィード装置内において、フィード機構の位置決め溝及び取外し可能な押え板の固定板の間の別途係合構造を示している。
【図４Ａ】本発明の第二具体実施例で提供する自動フィード装置を示した部分拡大図である。
【図４Ｂ】本発明で提供する自動フィード装置内において、取外し可能な押え板の別途実施構造を示している。
【符号の説明】
【００３０】
１        自動フィード装置
１０      ケース
１０１    取込用トレー
１０２    取出用プラットホーム、取出用チャネル
１０２２  取出用チャネル
１１      フィード機構
１２      押え板
２        自動フィード装置
２０      ケース
２０１    取込用トレー
２０２    取出用チャネル
２１      フィード機構
２１０    位置決め溝
２１００  フック
２１０１  凹部
２１１    出口
２２      取外し可能な押え板
２２０    固定板
２２００  凹部
２２０１  フック
２２１    押え板
３１      フィード機構
３１０    位置決め溝
３１００  フック
３２      取外し可能な押え板
３２０    押え板
３２１    凹部
３２２    突出構造
４        スキャン装置
４０      スキャンウィンドウ
４１      スキャンモジュール
５        鋭利な物
Ｓ        ペーパー
【図１】
2008295006.tif 000003
【図２】
2008295006.tif 000004
【図３Ａ】
2008295006.tif 000005
【図３Ｂ】
2008295006.tif 000006
【図３Ｃ】
2008295006.tif 000007
【図３Ｄ】
2008295006.tif 000008
【図４Ａ】
2008295006.tif 000009
【図４Ｂ】
2008295006.tif 000010